(57)【要約】【課題】表示部に塵埃、汚れが付着しにくいコンロおよび調理支援システムを提供する。【解決手段】操作部１０は、本体部１の前面１ａに開閉可能に設けられている。表示部１１は、操作部１０が開いた状態で本体部１から露出し、かつ操作部１０が閉じた状態において本体部１内に収納されるように操作部１０に設けられている。表示部１１の表面全面は、画面にて表示と入力とが可能なタッチパネルで構成されている。表示部１１の上面は操作部１０の最上面である。【選択図】図１
2018132200.tif 000002
【特許請求の範囲】
【請求項１】
加熱部と、
前記加熱部が設けられた上面を有する本体部と、
前記本体部の前面に開閉可能に設けられた操作部と、
前記操作部が開いた状態で前記本体部から露出し、かつ前記操作部が閉じた状態において前記本体部内に収納されるように前記操作部に設けられた第１表示部と、を備え、
前記第１表示部の表面全面は、画面にて表示と入力とが可能なタッチパネルで構成されており、
前記第１表示部の上面は前記操作部の最上面である、コンロ。
【請求項２】
前記第１表示部は、前記加熱部を操作する操作ボタンを表示可能に構成されている、請求項１に記載のコンロ。
【請求項３】
加熱部と、
前記加熱部が設けられた上面を有する本体部と、
前記本体部の前面に開閉可能に設けられた操作部と、
前記操作部が開いた状態で前記本体部から露出し、かつ前記操作部が閉じた状態において前記本体部内に収納されるように前記操作部に設けられた第１表示部と、を備え、
前記第１表示部の表面全面は、画面にて表示と入力とが可能なタッチパネルで構成されており、
前記第１表示部は、前記画面として、調理に関する情報と、前記加熱部を操作する操作ボタンとを同時に表示可能である、コンロ。
【請求項４】
加熱部と、
前記加熱部が設けられた上面を有する本体部と、
前記本体部の前面に開閉可能に設けられた操作部と、
前記操作部が開いた状態で前記本体部から露出し、かつ前記操作部が閉じた状態において前記本体部内に収納されるように前記操作部に設けられた第１表示部と、を備え、
前記第１表示部の表面全面は、画面にて表示と入力とが可能なタッチパネルで構成されており、
前記第１表示部は、前記画面として、情報を表示する第１状態と、前記加熱部を操作する操作ボタンを表示する第２状態とを切り替え可能に構成されている、コンロ。
【請求項５】
前記本体部の前記前面に設けられた、前記加熱部の駆動を開始する加熱開始スイッチをさらに備え、
前記第１表示部に表示される前記操作ボタンは、前記加熱部の駆動を開始する操作以外の操作を行う操作用ボタンを含む、請求項２〜請求項４のいずれか１項に記載のコンロ。
【請求項６】
前記第１表示部は、前記加熱部の駆動を停止する消火スイッチを常に表示するよう構成されている、請求項１〜請求項３のいずれか１項に記載のコンロ。
【請求項７】
操作部は、前記第１表示部を照らすバックライトを含み、
前記バックライトは、前記第１表示部における操作の無い状態が所定時間継続すると消灯するよう構成されている、請求項１〜請求項６のいずれか１項に記載のコンロ。
【請求項８】
前記バックライトは、前記加熱部が駆動されている間は点灯し続けるよう構成されている、請求項７に記載のコンロ。
【請求項９】
前記画面に表示する情報を外部装置から入手する通信部をさらに備える、請求項１〜請求項８のいずれか１項に記載のコンロ。
【請求項１０】
前記外部装置から前記通信部を通じて受信した情報を前記第１表示部に表示するよう構成されており、
前記第１表示部は指で操作することにより前記画面の表示内容を遷移可能である、請求項９に記載のコンロ。
【請求項１１】
前記第１表示部は、調理状態を示す状態データと、前記外部装置から受信した情報データとを同時に前記画面に表示可能である、請求項１０に記載のコンロ。
【請求項１２】
前記加熱部の加熱状態を検知する検知部をさらに備え、
前記状態データは、前記加熱部の駆動能力と前記検知部から得られた信号との少なくとも１つに基づいて構成されている、請求項１１に記載のコンロ。
【請求項１３】
前記外部装置から受信した情報データを保存する記憶部をさらに備える、請求項１０〜請求項１２のいずれか１項に記載のコンロ。
【請求項１４】
前記外部装置は、端末用表示部を有する外部情報端末であり、
前記第１表示部は、前記外部情報端末の前記端末用表示部に表示された内容と同じ内容を表示可能である、請求項１０〜請求項１３のいずれか１項に記載のコンロ。
【請求項１５】
前記本体部の前記上面に設けられた第２表示部をさらに備え、
前記第２表示部は、前記外部情報端末の前記端末用表示部に表示された内容と同じ内容を表示可能である、請求項１４に記載のコンロ。
【請求項１６】
請求項９〜請求項１５のいずれか１項に記載のコンロと、
前記通信部と通信可能な外部装置と、を備えた、調理支援システム。
【発明の詳細な説明】
【技術分野】
【０００１】
本発明は、コンロおよび調理支援システムに関し、特に、表示部を有するコンロおよび調理支援システムに関するものである。
【背景技術】
【０００２】
表示部を有するコンロは、たとえば特開２００９−２５３０号公報（特許文献１）、特開２０１１−１４５０６５号公報（特許文献２）などに開示されている。
【０００３】
特許文献１には、加熱調理器に収納可能な後／グリル操作表示部が開示されている。後／グリル操作表示部には、メンブレンスイッチと液晶表示素子とが配置されている。
【０００４】
特許文献２には、加熱調理器のトッププレートに総合表示手段が配置されており、加熱調理器の前面と上面とに操作部が設けられている。
【先行技術文献】
【特許文献】
【０００５】
【特許文献１】特開２００９−２５３０号公報
【特許文献２】特開２０１１−１４５０６５号公報
【発明の概要】
【発明が解決しようとする課題】
【０００６】
従来のコンロにおいては、表示部に塵埃が溜まりやすい。特許文献１においては、液晶表示素子を視認可能とするためにメンブレンに窓枠が設けられている。このため、メンブレンの上面と液晶表示素子の上面との間に窓枠による段差部が生じ、この段差部に塵埃、煮こぼれなどの汚れが付着しやすい。また特許文献２においては、加熱調理器のトッププレートに総合表示手段が設けられている。このため、総合表示手段に塵埃、汚れが付着しやすい。
【０００７】
表示部に塵埃が付着した場合、ユーザーによる表示内容の視認が難しくなる。また表示部に付着した塵埃、汚れを拭き取る手間が発生する。またコンロの場合、塵埃、汚れが油分を含むことが多い。油分を含んだ塵埃、汚れが付着した場合、その塵埃、汚れを除去することはさらに困難である。
【０００８】
油分を含んだ塵埃、汚れを無理に除去しようとすると、表示部を傷付け、表示部の視認がさらに困難となる。また塵埃、汚れを洗剤などを用いて除去しようとすると、洗剤などが機器内部に入り、表示機能に悪影響を及ぼすおそれもある。
【０００９】
本発明は、上記の課題に鑑みたものであり、その目的は、表示部に塵埃、汚れが付着しにくいコンロおよび調理支援システムを提供することである。
【課題を解決するための手段】
【００１０】
本発明の一のコンロは、加熱部と、本体部と、操作部と、第１表示部とを備えている。本体部は、加熱部が設けられた上面を有している。操作部は、本体部の前面に開閉可能に設けられている。第１表示部は、操作部が開いた状態で本体部から露出し、かつ操作部が閉じた状態において本体部内に収納されるように操作部に設けられている。第１表示部の表面全面は、画面にて表示と入力とが可能なタッチパネルで構成されている。第１表示部の上面は操作部の最上面である。
【００１１】
本発明の一のコンロによれば、第１表示部の表面全面にタッチパネルが用いられている。このタッチパネルでは、画面にて表示と入力（操作）とが可能である。このため、画面に表示部と操作部とを分け隔てる段差が存在しない。よって、その段差に塵埃、汚れが付着することはない。
【００１２】
またタッチパネルとなる第１表示部が、操作部に設けられている。この操作部は、本体部の前面に開閉可能に設けられている。この操作部を開閉操作することにより、操作部が閉じた状態においては第１表示部を本体部内に収納することができる。これにより、第１表示部に塵埃、汚れがより一層付着しにくくなる。
【００１３】
また第１表示部が設けられた操作部は、本体部の前面に設けられている。本体部の前面においては、本体部の上面におけるよりも加熱部駆動中の温度が低い。このため第１表示部は、加熱部が駆動中の熱によるダメージを受けにくい。
【００１４】
またタッチパネルである第１表示部の上面が操作部の最上面である。このため、第１表示部の上面に塵埃、汚れがより一層付着しにくい。第１表示部に塵埃、汚れが付着しにくいことにより、ユーザーによる第１表示部の視認が容易となり、かつタッチパネルでの操作も容易となる。また第１表示部に塵埃、汚れが付着した場合においても、塵埃、汚れの拭き取りが容易である。
【００１５】
上記一のコンロにおいて、第１表示部は、加熱部を操作する操作ボタンを表示可能に構成されている。
【００１６】
これにより第１表示部において加熱部を操作することが可能となる。
本発明の他のコンロは、加熱部と、本体部と、操作部と、第１表示部とを備えている。本体部は、加熱部が設けられた上面を有している。操作部は、本体部の前面に開閉可能に設けられている。第１表示部は、操作部が開いた状態で本体部から露出し、かつ操作部が閉じた状態において本体部内に収納されるように操作部に設けられている。第１表示部の表面全面は、画面にて表示と入力とが可能なタッチパネルで構成されている。第１表示部は、画面として、調理に関する情報と、加熱部を操作する操作ボタンとを同時に表示可能である。
【００１７】
本発明の他のコンロによれば、第１表示部の表面全面にタッチパネルが用いられている。このタッチパネルでは、画面にて表示と入力（操作）とが可能である。このため、画面に表示部と操作部とを分け隔てる段差が存在しない。よって、その段差に塵埃、汚れが付着することはない。
【００１８】
またタッチパネルとなる第１表示部が、操作部に設けられている。この操作部は、本体部の前面に開閉可能に設けられている。この操作部を開閉操作することにより、操作部が閉じた状態においては第１表示部を本体部内に収納することができる。これにより、第１表示部に塵埃、汚れがより一層付着しにくくなる。
【００１９】
また第１表示部が設けられた操作部は、本体部の前面に設けられている。本体部の前面においては、本体部の上面におけるよりも加熱部駆動中の温度が低い。このため第１表示部は、加熱部が駆動中の熱によるダメージを受けにくい。
【００２０】
また第１表示部は、調理に関する情報と操作ボタンとを同時に表示可能である。これによりユーザーは調理に関する情報を確認しながら操作を行うことが可能となる。
【００２１】
本発明のさらに他のコンロは、加熱部と、本体部と、操作部と、第１表示部とを備えている。本体部は、加熱部が設けられた上面を有している。操作部は、本体部の前面に開閉可能に設けられている。第１表示部は、操作部が開いた状態で本体部から露出し、かつ操作部が閉じた状態において本体部内に収納されるように操作部に設けられている。第１表示部の表面全面は、画面にて表示と入力とが可能なタッチパネルで構成されている。第１表示部は、画面として、情報を表示する第１状態と、加熱部を操作する操作ボタンを表示する第２状態とを切り替え可能に構成されている。
【００２２】
本発明のさらに他のコンロによれば、第１表示部の表面全面にタッチパネルが用いられている。このタッチパネルでは、画面にて表示と入力（操作）とが可能である。このため、画面に表示部と操作部とを分け隔てる段差が存在しない。よって、その段差に塵埃、汚れが付着することはない。
【００２３】
またタッチパネルとなる第１表示部が、操作部に設けられている。この操作部は、本体部の前面に開閉可能に設けられている。この操作部を開閉操作することにより、操作部が閉じた状態においては第１表示部を本体部内に収納することができる。これにより、第１表示部に塵埃、汚れがより一層付着しにくくなる。
【００２４】
また第１表示部は、情報を表示する第１状態と、操作ボタンを表示する第２状態とを切り替え可能である。これにより、ユーザーは調理状況に応じて、情報を表示する画面と操作を行う画面とを適宜切り替え可能である。
【００２５】
上記コンロは、本体部の前面に設けられた、加熱部の駆動を開始する加熱開始スイッチをさらに備えている。第１表示部に表示される操作ボタンは、加熱部の駆動を開始する操作以外の操作を行う操作用ボタンを含む。
【００２６】
これにより加熱開始の誤操作を抑制することができる。またユーザーは、操作部を開く動作を行うことなく、前面の加熱開始スイッチを操作することによって調理を行うことができる。よって、調理の手間を省くことができる。
【００２７】
上記コンロにおいて、第１表示部は、加熱部の駆動を停止する消火スイッチを常に表示するよう構成されている。
【００２８】
これにより調理中の如何なるタイミングにおいても加熱部の駆動を停止することが可能となり、調理の自由度が向上する。
【００２９】
上記コンロにおいて、操作部は第１表示部を照らすバックライトを含む。バックライトは、第１表示部における操作の無い状態が所定時間継続すると消灯するよう構成されている。
【００３０】
このように操作の無い状態であって、ユーザーが第１表示部を視認する必要のない時にはバックライトが消灯することで、省エネルギー化を図ることができる。
【００３１】
上記コンロにおいて、バックライトは、加熱部が駆動されている間は点灯し続けるよう構成されている。
【００３２】
これにより調理中には、第１表示部に表示された調理状況などの情報を明確に確認することができる。このため、調理中のユーザーの利便性が向上する。
【００３３】
上記コンロは、画面に表示する情報を外部装置から入手する通信部をさらに備える。
これによりコンロはインターネットなどを通じて様々な情報を第１表示部に表示することが可能となる。これによりユーザーは、インターネットなどを通じて調理メニュー、調理方法などを第１表示部に表示させた状態で調理を行うことが可能となる。このため、調理中のユーザーの利便性が向上する。
【００３４】
上記コンロは、外部装置から通信部を通じて受信した情報を第１表示部に表示するよう構成されている。第１表示部は指で操作することにより画面の表示内容を遷移可能である。
【００３５】
これにより調理中で複雑な操作ができないユーザーであっても、指で画面をなぞるという簡易な操作で画面を遷移することができる。このため、調理中のユーザーの利便性が向上する。
【００３６】
上記コンロにおいて、第１表示部は、調理状態を示す状態データと、外部装置から受信した情報データとを同時に前記画面に表示可能である。
【００３７】
これによりユーザーは状態データと情報データとを同時に確認することが可能となる。またユーザーは、外部装置から受信した情報データを参照して、調理状態を確認することができ、調理状態の確認・変更が容易となる。
【００３８】
上記コンロは、加熱部の加熱状態を検知する検知部をさらに備えている。状態データは、加熱部の駆動能力と検知部から得られた信号との少なくとも１つに基づいて構成されている。
【００３９】
このように加熱部の加熱状態を検知する検知部から得られた信号に基づいて状態データを構成することにより、より正確な加熱部の加熱状態を知ることができる。
【００４０】
上記コンロは、外部装置から受信した情報データを保存する記憶部をさらに備える。
これにより情報データを調理履歴、お気に入りのレシピなどとして記憶部に記憶させることができる。これにより記憶部から上記情報データを取り出せば、調理のたびに外部装置と通信する必要がなくなる。
【００４１】
上記コンロにおいて、外部装置は端末用表示部を有する外部情報端末である。第１表示部は、外部情報端末の端末用表示部に表示された内容と同じ内容を表示可能である。
【００４２】
これによりコンロは、第１表示部にて外部情報端末の表示内容を表示する処理だけで済み、表示データを生成する必要がないため、コンロ自身におけるデータの処理による負荷を軽減することができる。
【００４３】
またコンロが第１表示部にて外部情報端末の表示内容と同じ内容を表示することによって、ユーザーは調理中に外部情報端末の端末用表示部を視認する必要がなくなる。このためユーザーが外部情報端末を手で持つ必要がなくなる。ユーザーは両手を用いて調理をすることが可能となり、調理中のユーザーの利便性が向上する。また外部情報端末を高温となるコンロの近くに置くことによるユーザーのストレスを回避することができる。
【００４４】
上記コンロは、本体部の上面に設けられた第２表示部をさらに備えている。第２表示部は、外部情報端末の端末用表示部に表示された内容と同じ内容を表示可能である。
【００４５】
これにより第１表示部だけでなく第２表示部においても情報を視認することができる。また第２表示部にて外部情報端末の表示内容を表示する処理だけで済むため、コンロ自身におけるデータの処理による負荷を軽減することができる。またユーザーが調理中に外部情報端末を手で持つストレスおよび外部情報端末を高温となるコンロの近くに置くことのストレスを回避することができる。
【００４６】
本発明の調理支援システムは、上記のコンロと、コンロの通信部と通信可能な外部装置とを備えている。
【００４７】
本発明の調理支援システムによれば、外部装置などによりインターネットなどを通じて外部からコンロに情報を取り込むことができる。ユーザーが調理をする際に、外部からコンロに取り込まれた情報をコンロの表示部に表示させることにより、ユーザーの調理を支援することができる。またユーザーは、外部装置を通じてコンロの加熱状態を確認することもできる。
【発明の効果】
【００４８】
以上説明したように、本発明によれば、塵埃が溜まりにくく、塵埃が溜まった場合にも拭き取りが容易な、表示部を有するコンロおよび調理支援システムを実現することができる。
【図面の簡単な説明】
【００４９】
【図１】一実施の形態におけるコンロの構成を概略的に示す斜視図である。
【図２】図１に示すコンロの操作部の構成および動作の様子を模式的に示す側面図である。
【図３】図１に示すコンロの機能ブロック図である。
【図４】図１に示すコンロを用いた調理支援システムを示す模式図である。
【図５】一実施の形態におけるコンロの操作と、操作時における表示部の表示内容とを示すフロー図である。
【図６】一実施の形態におけるコンロの表示部における表示内容の変化を示す図（Ａ）〜（Ｅ）である。
【図７】一実施の形態におけるコンロの表示部における表示内容の変化を示す図（Ｆ）〜（Ｊ）である。
【図８】一実施の形態におけるコンロの表示部に、ｗｅｂ表示と調理状態表示とを同時に表示した様子を示す図である。
【図９】一実施の形態におけるコンロの表示部の表示画面（Ａ）と、指で表示画面を遷移させた状態の表示画面（Ｂ）とを示す図である。
【発明を実施するための形態】
【００５０】
以下、本発明の実施の形態について図に基づいて説明する。
図１に示されるように、本実施の形態のコンロ３０は、本体部１と、加熱部２と、操作スイッチ３、４と、グリル加熱部５と、操作部１０と、表示部２１とを主に有している。
【００５１】
本体部１は、ほぼ平坦な上面１ｂを有している。本体部１の上面１ｂには、加熱部２が設けられている。加熱部２には、たとえばブンゼン式のガスバーナが採用されている。なお加熱部２は、ブンゼン式以外のガスバーナであってもよく、またガスバーナ以外のたとえばＩＨ（Induction  Heating）クッキングヒーターのような電磁調理部であってもよい。
【００５２】
複数の加熱部２が本体部１の上面に設けられていてもよい。複数の加熱部２は、たとえば３つの加熱部２Ｌ、２Ｃ、２Ｒを有している。加熱部２Ｌはコンロ３０の幅方向Ｗの一方端側（コンロ３０を使用するユーザーから見て左側）に配置されている。加熱部２Ｒはコンロ３０の幅方向Ｗの他方端側（コンロ３０を使用するユーザーから見て右側）に配置されている。加熱部２Ｃは、加熱部２Ｌと加熱部２Ｒとに挟まれる領域よりもコンロ３０の奥行き方向Ｄの奥側に配置されている。
【００５３】
本体部１は、前面１ａを有している。前面１ａは、コンロ３０を使用するユーザーから見て本体部１の手前側（奥行き方向Ｄの手前側）の面である。グリル加熱部５が本体部１に設けられている。グリル加熱部５の取り入れ・取り出し口は、本体部１の前面１ａに配置されている。
【００５４】
操作スイッチ３、４は、本体部１の前面１ａに設けられている。操作スイッチ３、４は、たとえば加熱開始スイッチ３Ｌ、３Ｃ、３Ｒと、グリル加熱用スイッチ３Ｍと、電源スイッチ４とを有している。
【００５５】
加熱開始スイッチ３Ｌは、加熱部２Ｌの点火（加熱部２Ｌの駆動開始）、消火（加熱部２Ｌの駆動停止）、火力調整などを操作可能である。加熱開始スイッチ３Ｃは、加熱部２Ｃの点火（加熱部２Ｃの駆動開始）、消火（加熱部２Ｃの駆動停止）、火力調整などを操作可能である。加熱開始スイッチ３Ｒは、加熱部２Ｒの点火（加熱部２Ｒの駆動開始）、消火（加熱部２Ｒの停止）、火力調整などを操作可能である。
【００５６】
グリル加熱用スイッチ３Ｍは、グリル加熱部５の点火（加熱部５の駆動開始）、消火（加熱部５の駆動停止）、火力調整などを操作可能である。電源スイッチ４は、コンロ３０の電源のＯＮ・ＯＦＦを操作可能である。
【００５７】
本体部１の前面１ａには、操作部１０が開閉可能に設けられている。操作部１０は、操作部１０Ｌと、操作部１０Ｒとを有している。操作部１０Ｌは、本体部１の幅方向Ｗの一方端側（グリル加熱部５の一方側方）に配置されている。操作部１０Ｒは、本体部１の幅方向Ｗの他方端側（グリル加熱部５の他方側方）に配置されている。
【００５８】
図２に示されるように、操作部１０（操作部１０Ｌ、１０Ｒの各々）はたとえば回転軸１３により本体部１に回転可能に取り付けられている。回転軸１３は操作部１０の下端付近に支持されている。操作部１０は図２に示す側面視において略三角形の形状を有している。
【００５９】
操作部１０（操作部１０Ｌ、１０Ｒの各々）は、表示部１１（第１表示部）と、バックライト１２とを有している。表示部１１は、操作部１０の上面に配置されている。表示部１１は、たとえば操作部１０の上面全面に配置されていることが好ましい。つまり図２に示される側面視において操作部１０の前面１０ａと後面１０ｂとに挟まれる上面全面が表示部１１の上面により構成されていることが好ましい。
【００６０】
また表示部１１の上面は平坦なガラスなどよりなっていることが好ましい。また表示部１１の上面は連続的に湾曲した湾曲面を有するガラスなどよりなっていてもよい。また表示部１１の上面は、ガラスの表面全面上に薄い透明なフィルムを張り付けたものであってもよい。この透明なフィルムは、無色透明であってもよく、また有色透明であってもよい。バックライト１２は設けられていても、設けられていなくてもよい。
【００６１】
表示部１１の表面全面は、画面において表示と入力（操作）とが可能なタッチパネルで構成されている。表示部１１は、たとえばＴＦＴ（Thin  Film  Transistor）液晶であり、タッチセンサーを有している。タッチパネルは、静電容量方式、抵抗膜方式、表面弾性波方式、赤外線方式、電磁誘導方式などのいずれであってもよい。
【００６２】
この表示部１１の上面は、操作部１０の最上面を構成している。つまり操作部１０の表示部１１以外の部分は、表示部１１の上面よりも上方に突き出してはいない。ここで最上面とは、回転軸１３の軸中心Ｃを通る２点鎖線Ｅと交差する操作部１０の部分のうち最も軸中心Ｃから離れた位置にある面を意味する。このため表示部１１の上面が操作部１０の最上面を構成しているとは、操作部１０が表示部１１の上面よりも上方へ突き出すことにより表示部１１の上面よりも軸中心Ｃから離れた位置にある部分（たとえば操作部１０の外周のフレームなど）を有しないことを意味する。
【００６３】
操作部１０が回転軸１３を中心に回転することにより、操作部１０は本体部１に対して開いた状態（図２において実線で示した状態）と、閉じた状態（図２において破線で示した状態）との間で回転可能である。操作部１０は、いわゆるカンガルーポケットである。操作部１０が開いた状態においては、表示部１１は本体部１から露出している。操作部１０が閉じた状態においては、表示部１１は本体部１内に収納されている。
【００６４】
バックライト１２は、表示部１１を裏側から照らすものである。バックライト１２は、操作部１０の内部であって、表示部１１の下方に配置されている。バックライト１２は、たとえば加熱部２が駆動されている間は点灯し続けるように構成されている。またバックライト１２は、たとえば表示部１１における操作の無い状態が所定時間継続すると消灯するように構成されている。
【００６５】
表示部１１は、たとえば図８に示されるように、画面として、調理に関する情報と、加熱部２を操作する操作ボタンとを同時に表示可能である。また表示部１１は、画面として、たとえば図９に示すような情報を表示する第１状態と、図７（Ｉ）、（Ｊ）に示されるような加熱部２を操作する操作ボタンを表示する第２状態とを切り替え可能に構成されている。
【００６６】
また表示部１１に表示される操作ボタンは、図６（Ｂ）〜（Ｅ）、図７（Ｆ）〜（Ｈ）に示されるように、加熱部２の駆動を開始する操作以外の操作を行う操作用ボタンを含む。また表示部１１は、図８に示されるように、加熱部２の駆動を停止する消火スイッチを常に表示するよう構成されていてもよい。
【００６７】
なお図１に示されるように、本体部１の上面１ｂに表示部２１（第２表示部）が配置されていてもよい。表示部２１は、たとえば加熱部２Ｌと加熱部２Ｒとに挟まれる領域に配置されていてもよく、またその挟まれた領域よりも奥行き方向Ｄの手前側に配置されていてもよい。表示部２１は、タッチパネルであってもよく、またタッチパネルでなくてもよい。表示部２１は、後述する外部情報端末４０の端末用表示部４１（図４）に表示された内容と同じ内容を表示可能である。
【００６８】
次に、本実施の形態のコンロ３０の機能ブロックについて図３を用いて説明する。
図３に示されるように、コンロ３０は、加熱部２と、操作スイッチ３、４と、検知部６と、コントローラ７と、通信部８と、表示部１１、２１とを主に有している。コントローラ７は、制御ユニット７Ｕと、記憶部７Ｍとを有している。制御ユニット７Ｕは、調理制御部７ａと、通信制御部７ｂと、表示制御部７ｃとを有している。
【００６９】
操作スイッチ３は、上記のとおり、加熱部２、グリル加熱部５を操作するためのスイッチである。操作スイッチ４は、コンロ３０の電源をＯＮ・ＯＦＦ操作するためのスイッチである。検知部６は、加熱部２の加熱状態を検知するためのものである。
【００７０】
通信部８は、外部装置（サーバ装置（図４）または外部情報端末４０）と通信可能である。コンロ３０は、この通信部８によりインターネットまたはイントラネットに接続可能である。通信部８は、表示部１１、２１に表示する情報を外部装置から入手する。
【００７１】
通信部８と外部装置との通信は、有線で行われてもよく、無線で行われてもよい。また通信部８と外部装置との通信は、たとえばBLUETOOTH（登録商標）、Wi-Fi（登録商標）、Wi-SUN（登録商標）、特定小電力無線、HEMS（Home  Energy  Management  System）上での接続などのいずれかの方法で行われてもよい。なお外部情報端末４０は、たとえばスマートフォン、パーソナルコンピュータ、タブレットなどのいずれであってもよい。
【００７２】
通信制御部７ｂは、通信部８から情報を入力される。また通信制御部７ｂは、通信部８からの情報を受けて、その情報を調理制御部７ａおよび表示制御部７ｃへ出力する。また通信制御部７ｂは、調理制御部７ａからの信号を入力される。通信制御部７ｂは、調理制御部７ａからの信号を受けて、その信号に基づいて通信部８および表示制御部７ｃへ信号を出力する。また通信制御部７ｂは、表示制御部７ｃからの信号を入力される。通信制御部７ｂは、表示制御部７ｃからの信号を受けて、その信号に基づいて通信部８および調理制御部７ａへ信号を出力する。
【００７３】
調理制御部７ａは、操作スイッチ３、４からの操作指令と、通信制御部７ｂからの操作指令と、表示制御部７ｃからの操作指令とを入力される。また調理制御部７ａは、検知部６からの検知信号と、加熱部２からの加熱部２の状態を示す信号とを入力される。
【００７４】
調理制御部７ａは、操作スイッチ３、４からの操作指令、通信制御部７ｂからの操作指令、表示制御部７ｃからの操作指令、検知部６からの検知信号、または加熱部２の状態を示す信号を受けて、加熱部２の操作（点火、消火、火力調整など）を行うための制御信号を加熱部２へ出力する。
【００７５】
また調理制御部７ａは、操作スイッチ３、４からの操作指令、表示制御部７ｃからの操作指令、通信制御部７ｂからの操作指令、検知部６からの検知信号、または加熱部２の状態を示す信号を受けて、加熱部２の状態などを表示部１１または２１に表示するための信号を表示制御部７ｃへ出力する。
【００７６】
また調理制御部７ａは、検知部６からの検知信号または加熱部２の状態を示す信号を受けて、加熱部２の状態などを外部情報端末４０に表示するための信号を通信制御部７ｂへ出力する。
【００７７】
表示制御部７ｃは、調理制御部７ａからの信号と、通信制御部７ｂからの信号と、表示部１１、２１からの信号とを入力される。表示制御部７ｃは、調理制御部７ａからの信号と、通信制御部７ｂからの信号と、表示部１１、２１からの信号とを受けて、調理状態などを表示するための信号を表示部１１、２１へ出力する。また表示制御部７ｃは、表示部１１、２１からの指令信号を受けて、外部装置（サーバ装置（図４）または外部情報端末４０）への制御信号を通信制御部７ｂへ出力する。また表示制御部７ｃは、表示部１１、２１からの指令信号を受けて、加熱部２への制御信号を調理制御部７ａへ出力する。
【００７８】
記憶部７Ｍは、制御ユニット７Ｕとの間で適宜、信号の入出力を行う。これにより記憶部７Ｍは、外部装置からの情報、加熱部２からの加熱状態の情報、表示部１１、２１からの表示状態の情報などの情報を記憶する。
【００７９】
次に、上記のコンロを用いた調理支援システムについて図４を用いて説明する。
図４に示されるように、調理支援システムは、コンロ３０と、外部装置とを含む。外部装置は、たとえばサーバ装置７０と、外部情報端末４０とを含む。
【００８０】
コンロ３０は、通信部８（図３）によりたとえば無線通信機５０と通信可能である。この無線通信機５０はインターネット６０を通じて、サーバ装置７０、基地局８０などに有線または無線で接続されている。これにより、コンロ３０は、たとえば無線通信機５０およびインターネット６０などを介在してサーバ装置７０および基地局８０と接続されている。
【００８１】
外部情報端末４０は、基地局８０または無線通信機５０などを介在して、コンロ３０と通信可能である。また外部情報端末４０は、基地局８０、無線通信機５０などを介在せずに、コンロ３０と直接に通信することもできる。
【００８２】
これにより外部情報端末４０を有するユーザーは屋内、屋外のいずれにおいても、外部情報端末４０を用いてコンロ３０と通信することができる。これにより外部情報端末４０の端末用表示部４１にて、コンロ３０の動作状態などを確認することができる。
【００８３】
またコンロ３０を用いるユーザーは、外部情報端末４０と通信することにより、外部情報端末４０の情報をコンロ３０内に取り入れることができる。これにより、コンロ３０の表示部１１、２１は、インターネットなどを通じて、ｗｅｂ画面などを表示することができる。
【００８４】
また外部情報端末４０の端末用表示部４１の表示内容をミラーリングにより、コンロ３０の表示部１１、２１に表示することができる。このミラーリングをした状態において、ユーザーはコンロ３０の表示部１１、２１にてｗｅｂ画面を操作することもできる。
【００８５】
コンロ３０の表示部１１、２１の画面サイズが外部情報端末４０の端末用表示部４１の画面サイズと異なる場合、端末用表示部４１に表示されている内容と同一の内容が表示部１１、２１に表示されるように表示サイズが表示部１１、２１の画面サイズに合わせて拡大・縮小されてもよい。またコンロ３０の表示部１１、２１の画面サイズが外部情報端末４０の端末用表示部４１の画面サイズと異なる場合、端末用表示部４１に表示されている内容の一部のみが表示部１１、２１に表示されてもよい。
【００８６】
次に、本実施の形態のコンロ３０および調理支援システムを用いて調理を行う際の調理の流れと表示部の表示内容の変化とについて図１および図５〜図７を用いて説明する。
【００８７】
図１に示されるように、調理を開始する際にはコンロ３０の電源スイッチ４がＯＮ状態とされる。これによりコンロ３０の電源がＯＮされ（ステップＳ１:図５）、表示部１１がバックライト１２により照らされることにより点灯する。なおコンロ３０の電源がＯＦＦの状態においては、表示部１１は黒い無表示画面となっている。
【００８８】
この表示部１１が点灯した状態において、図６（Ａ）に示されるように、ユーザーは表示部１１にｗｅｂ画面を表示することができる。ユーザーは、ｗｅｂ画面を表示することによって、インターネットを通じて調理メニューを検索したり、調理方法を確認したりすることができる。
【００８９】
ユーザーが調理を開始したい場合には、図６（Ａ）に示されるｗｅｂ画面中の所定領域ＴＲを指でタップする。これにより、コンロ３０による調理操作が開始される（ステップＳ２：図５）。上記の調理操作の開始により、表示部１１の表示画面には図６（Ｂ）に示されるような操作画面が表示される（ステップＳ３：図５）。
【００９０】
次に図６（Ｂ）〜図６（Ｅ）に示されるように、表示部１１に表示されたメニューをユーザーが指でタップして選択していく。本実施の形態においては、たとえば容器として「プレートパン」が選択され、調理モードにおいて「焼く」が選択される。
【００９１】
これにより、図７（Ｆ）に示されるように、たとえば「焼く」の「火加減」および「時間」を選択するための画面が表示部１１に表示される。この画面において、ユーザーがたとえば「火加減」を強くしたい場合には、「火加減」の項目の上向き矢印のボタンをタップする。これにより、図７（Ｇ）に示されるように、「火加減」が「強」に設定される。またユーザーがたとえば「火加減」を弱くしたい場合には、「火加減」の項目の下向き矢印のボタンをタップする。これにより、図７（Ｈ）に示されるように、「火加減」が「弱」に設定される。
【００９２】
ユーザーが、図７（Ｇ）に示されるように、たとえば「火加減」が「強」の画面で「決定」をタップすると、図７（Ｉ）に示されるように、調理条件とともに「点火」ボタンが表示部１１に表示される。ユーザーがこの「点火」ボタンをタップすると、図１に示される加熱部２の点火が開始される。これにより、ユーザーが設定した条件における調理が開始される（ステップＳ４：図５）。
【００９３】
ユーザーが「点火」ボタンをタップすると、図７（Ｊ）に示されるように、表示部１１に「調理中」である旨と、「消火」ボタンが表示される。この「消火」ボタンをタップすることにより、図１に示される加熱部２が消火される。これにより、ユーザーは調理途中であっても調理を停止させることができる。
【００９４】
また調理が開始された後、ユーザーは適宜、調理条件を変更することができる（ステップＳ５：図５）。調理条件の変更に際しては、コンロ３０がユーザーに対して調理条件変更の要否を報知してもよい。またユーザーは、自発的にコンロ３０を操作することにより調理条件を変更してもよい。
【００９５】
調理が終了すると、コンロ３０はたとえば音、表示部１１の表示などによりユーザーに調理の終了を報知する。具体的には、調理の終了を知らせる音が発せられるとともに、調理終了画面が表示部１１に表示される。
【００９６】
上記調理の一連の工程においては、表示部１１には、操作画面だけでなくｗｅｂ画面を表示することもできる。図５に示されるように、たとえばコンロの電源がＯＮされてから調理操作が開始されるまでの間、調理が開始されてから調理条件を変更するまでの間、調理条件を変更してから調理が終了するまでの間などに、表示部１１には、ｗｅｂ画面を表示することができる。
【００９７】
また上記以外のタイミングにおいて、ユーザーの操作によりｗｅｂ画面が表示されてもよい。たとえば調理操作が開始された後であって調理が開始されるまでの間、調理条件を変更する間、調理の終了を知らせる間に、ユーザーの求めに応じて、表示部１１にｗｅｂ画面が表示されてもよい。
【００９８】
表示部１１にｗｅｂ画面が表示される際には、図８に示されるように、調理状態を示す画面（または操作画面）と同時にｗｅｂ画面が表示部１１に表示されてもよい。また表示部１１にｗｅｂ画面が表示される際には、図９（Ａ）に示されるように、ｗｅｂ画面のみが表示部１１に表示されてもよい。なお調理状態を示す画面とは、加熱部２の駆動能力と、検知部６（図３）から得られた信号との少なくとも１つに基づいて構成されたものである。
【００９９】
また図９（Ａ）に示されるように、たとえばｗｅｂ画面のみが表示部１１に表示されている場合、図９（Ｂ）に示されるように、ユーザーが表示部１１の画面を指でなぞる（操作する）ことにより、画面の表示内容を遷移（スクロール）可能であってもよい。
【０１００】
また表示部１１に表示される内容は、外部情報端末４０の端末用表示部４１（図４）に表示される内容と同じであってもよい。つまり表示部１１は、外部情報端末４０の端末用表示部４１に表示された内容をミラーリングしてもよい。
【０１０１】
この場合、図９（Ｂ）に示されるように、表示部１１の表示内容を遷移させることにより、外部情報端末４０の端末用表示部４１の表示内容も同様に遷移されてもよい。つまりコンロ３０の表示部１１の操作により、外部情報端末４０の端末用表示部４１における表示内容が制御されてもよい。
【０１０２】
次に、本実施の形態の作用効果について説明する。
本実施の形態によれば、図１に示されるように、表示部１１の表面全面にタッチパネルが用いられている。このタッチパネルでは、画面にて表示と入力（操作）とが可能である。このため、画面に表示部と操作部とを分け隔てる段差が存在しない。具体的には、特許文献１のようにメンブレンの上面と表示部の上面との間に、メンブレンの窓枠による段差が存在しない。よって、その段差に塵埃・汚れが付着することはない。
【０１０３】
また図２に示されるように、タッチパネルとなる表示部１１が、操作部１０に設けられている。この操作部１０は、本体部１の前面１ａに開閉可能に設けられている。この操作部を開閉操作することにより、操作部１０が閉じた状態においては表示部１１を本体部１内に収納することができる。これにより、表示部１１に塵埃、汚れがより一層付着しにくくなる。
【０１０４】
また表示部１１が設けられた操作部１０は、本体部１の前面１ａに設けられている。本体部１の前面１ａにおいては、本体部１の上面１ｂにおけるよりも加熱部２駆動中の温度が低い。このため表示部１１は、加熱部２が駆動中の熱によるダメージを受けにくい。
【０１０５】
またタッチパネルである表示部１１の上面が操作部１０の最上面である。このため、表示部１１の上面に塵埃、汚れがより一層付着しにくくなる。表示部１１に塵埃、汚れが付着しにくいことにより、ユーザーによる表示部１１の視認が容易となり、かつタッチパネルでの操作も容易となる。また表示部１１に塵埃、汚れが付着した場合においても、塵埃、汚れの拭き取りが容易である。
【０１０６】
また表示部１１を本体部１内に収納することができるため、操作部１０を閉じた状態においてはタッチパネルの誤操作を防止することもできる。
【０１０７】
また図７（Ｉ）、（Ｊ）に示されるように、表示部１１は、調理に関する情報と操作ボタンとを同時に表示可能である。これによりユーザーは調理に関する情報を確認しながら加熱部２の操作を行うことが可能となる。
【０１０８】
また図６に示されるように、表示部１１は、ｗｅｂ画面などの情報を表示する第１状態（図６（Ａ））と、操作ボタンを表示する第２状態（図６（Ｂ）〜（Ｊ））とを切り替え可能である。これにより、ユーザーは調理状況などに応じて、情報の表示画面と操作画面とを適宜切り替え可能である。
【０１０９】
また図１に示されるように、コンロ３０は、本体部１の前面１ａに設けられた、加熱部２の駆動を開始する加熱開始スイッチ３を有している。このように加熱開始スイッチ３をタッチパネルにおける操作ボタンとは別に設けることにより、加熱開始の誤操作を抑制することができる。またユーザーは、操作部１０を開く動作を行うことなく、前面１ａの加熱開始スイッチ３を操作することによって調理を行うことができる。よって、調理の手間を省くことができる。
【０１１０】
また図７に示されるように、表示部１１は、加熱部２の駆動を停止する消火スイッチを常に表示するよう構成されている。これにより調理中の如何なるタイミングにおいても加熱部２の駆動を停止することが可能となり、調理の自由度が向上する。
【０１１１】
また図２に示されるように、操作部１０は表示部１１を照らすバックライト１２を含む。バックライト１２は、表示部１１における操作の無い状態が所定時間継続すると消灯するよう構成されている。これにより操作の無い状態であって、ユーザーが表示部１１を視認する必要のない時にはバックライト１２を消灯させることで、省エネルギー化を図ることができる。
【０１１２】
またバックライト１２は、加熱部２が駆動されている間は点灯し続けるよう構成されている。これにより調理中には、表示部１１に表示された調理状況などの情報を明確に確認することができる。このため、調理中のユーザーの利便性が向上する。
【０１１３】
また図３に示されるように、コンロ３０は、外部装置（サーバ装置７０、外部情報端末４０）から表示部１１の画面に表示する情報を入手する通信部８を有している。これによりコンロ３０はインターネットなどを通じて様々な情報を表示部１１に表示することが可能となる。これによりユーザーは、インターネットなどを通じて、たとえば調理メニュー、調理方法などを表示部１１に表示させた状態で調理を行うことが可能となる。このため、調理中のユーザーの利便性が向上する。
【０１１４】
また図８（Ａ）、（Ｂ）に示されるように、コンロ３０は、外部装置（サーバ装置７０、外部情報端末４０）から通信部８を通じて受信した情報を表示部１１に表示するよう構成されている。表示部１１は指で操作することにより画面の表示内容を遷移可能である。これにより調理中で複雑な操作ができないユーザーであっても、指で画面をなぞるという簡易な操作で画面を遷移することができる。このため、調理中のユーザーの利便性が向上する。
【０１１５】
また図７に示されるように、表示部１１は、調理状態を示す状態データと、外部装置（サーバ装置７０、外部情報端末４０：図３、４）から受信した情報データ（たとえばｗｅｂ表示）とを同時に画面に表示可能である。これによりユーザーは状態データと情報データとを同時に確認することが可能となる。またユーザーは、外部装置から受信した情報データを参照して、調理状態を確認することができ、調理状態の確認・変更が容易となる。
【０１１６】
また図３に示されるように、コンロ３０は、加熱部２の加熱状態を検知する検知部６を有している。図７に示される調理状態表示（状態データ）は、加熱部２の駆動能力と検知部６から得られた信号との少なくとも１つに基づいて構成されている。このように加熱部２の加熱状態を検知する検知部６から得られた信号に基づいて状態データを構成することにより、より正確な加熱部２の加熱状態を知ることができる。
【０１１７】
また図３および図４に示されるように、コンロ３０は、外部装置（外部情報端末４０またはサーバ装置７０）から受信した情報データを保存する記憶部７Ｍを有している。これにより情報データを調理履歴、お気に入りのレシピなどとして記憶部７Ｍに記憶させることができる。また記憶部７Ｍから情報データを取り出せば、調理のたびに外部装置４０、７０と通信する必要がなくなる。
【０１１８】
また図３および図４に示されるように、コンロ３０の表示部１１は、外部情報端末４０の端末用表示部４１に表示された内容と同じ内容を表示可能である。つまりコンロ３０の表示部１１は、外部情報端末４０の端末用表示部４１に表示された内容をミラーリングすることができる。表示部１１がミラーリングにより表示している際には、コンロ３０のコントローラ７（たとえば表示制御部７ｃ）は表示データを生成する必要がない。コンロ３０は、表示部１１にて外部情報端末４０の表示内容を表示する処理だけで済むため、コンロ３０のコントローラ７自身におけるデータの処理による負荷を軽減することができる。
【０１１９】
また表示部１１がミラーリングで表示することによって、ユーザーは調理中に外部情報端末４０の端末用表示部４１を視認するために、外部情報端末４０を手で持つ必要がなくなる。このため、ユーザーは両手を用いて調理をすることが可能となり、調理中のユーザーの利便性が向上する。また外部情報端末４０を高温となるコンロ３０の近くに置くことによるユーザーのストレスを回避することができる。
【０１２０】
また図１および図２に示されるように、コンロ３０は、本体部１の上面に設けられた表示部２１を有している。これによりユーザーは表示部１１だけでなく表示部２１においても情報を視認することができる。また表示部２１は、外部情報端末４０の端末用表示部４１（図４）に表示された内容と同じ内容を表示可能である。これにより上記と同様、コンロ３０のコントローラ７自身におけるデータの処理による負荷を軽減することができる。また上記と同様、ユーザーは調理中に外部情報端末を手に持つストレス、および高温となるコンロ３０の近くに外部情報端末４０を置くストレスを回避することができる。
【０１２１】
また図１および図２に示されるように、表示部１１の上面はフラットなガラスなどよりなっている。このため、表示部１１の上面に煮こぼれなどがあっても、表示部１１の上面を拭くことにより、容易に煮こぼれなどの汚れを除去することができる。また容易に汚れが除去可能であるため、汚れた手で操作することにより表示部１１が汚れても、容易にその汚れを拭き取り除去することができる。
【０１２２】
また図１および図２に示されるように、表示部１１に多種多様な操作ボタンを表示することができる。このため、コンロ３０の前面１ａに配置される操作スイッチをシンプルにすることができる。これによりコンロ３０の外観設計が容易になるとともに、外観のデザイン性も向上する。
【０１２３】
また図３および図４に示される調理支援システムは、コンロ３０と、コンロ３０の通信部８と通信可能な外部装置（サーバ装置７０、外部情報端末４０）とを有している。これにより、サーバ装置７０、外部情報端末４０などによりインターネットを通じて外部からコンロ３０に情報を取り込むことができる。ユーザーが調理をする際に、外部からコンロ３０に取り込まれた情報をコンロ３０の表示部１１、２１に表示させることにより、ユーザーの調理を支援することができる。
【０１２４】
上記のようにユーザーの調理を支援できるため、幅広い年齢層のユーザーが使いやすく、かつ表示部１１、２１に表示されたレシピなどを参考に多様な料理の調理が容易となる。
【０１２５】
また図６（Ｂ）〜（Ｅ）、図７（Ｆ）〜（Ｈ）、（Ｊ）に示されるように、表示部１１に表示される操作ボタンは、加熱部２の駆動を開始する操作以外の操作を行う操作用ボタンを含んでいてもよい。
【０１２６】
また表示部１１、２１における操作ボタンの種類、配置、表示形態、表示順番などは、熟練者モード、初心者モードなどの各モードによって互いに異なっていてもよい。たとえば熟練者モードにおいては複雑な設定が可能となるように、また初心者モードにおいてはシンプルで直感的に操作の内容が理解できるように、それぞれ操作ボタンの種類、配置、表示形態、表示順番などが設定されていてもよい。
【０１２７】
またボタン位置は、ユーザによって適宜、カスタマイズ可能であることが好ましい。たとえば右利きのユーザ用のボタン配置と、左利きのユーザ用のボタン配置とをカスタマイズ可能であることが好ましい。
【０１２８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２９】
１  本体部、１ａ，１０ａ  前面、１ｂ  上面、２，２Ｃ，２Ｌ，２Ｒ  加熱部、３，４  操作スイッチ、５  グリル加熱部、６  検知部、７  コントローラ、７Ｍ  記憶部、７Ｕ  制御ユニット、７ａ  調理制御部、７ｂ  通信制御部、７ｃ  表示制御部、８  通信部、１０，１０Ｌ，１０Ｒ  操作部、１０ｂ  後面、１１，２１  表示部、１２  バックライト、１３  回転軸、３０  コンロ、４０  外部情報端末、４１  端末用表示部、５０  無線通信機、６０  インターネット、７０  サーバ装置、８０  基地局。
【図１】
2018132200.tif 000003
【図２】
2018132200.tif 000004
【図３】
2018132200.tif 000005
【図４】
2018132200.tif 000006
【図５】
2018132200.tif 000007
【図６】
2018132200.tif 000008
【図７】
2018132200.tif 000009
【図８】
2018132200.tif 000010
【図９】
2018132200.tif 000011